【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
ＧＰＳ機能付き携帯通信端末であって、ＧＰＳ衛星からの信号データを受信するＧＰＳ受信部と、前記信号データを基に該携帯通信端末の現在位置を求める位置測定部と、前記位置測定部で求めた位置情報等を発信する位置情報発信部と、前記位置情報発信部へ位置情報発信要求の指示を出す制御部と、該携帯通信端末の電源切断後に予め設定された時間間隔で電源オンとするタイマ回路部と、該携帯通信端末の動作状況を表示する表示部と、ユーザ操作の入力インタフェースとなる操作部とを備え、該携帯通信端末の電源オン中は予め設定された時間間隔T2で該携帯通信端末の位置情報等を自動発信する機能と、該携帯通信端末の電源が切断された後に予め設定された時間T0経過後に該携帯通信端末の位置情報等を自動発信し、その後は予め設定された時間間隔T1で該携帯通信端末の位置情報等を自動発信する機能と、電源切断後に自動発信を行う場合に前記表示部のオフ状態を維持するシークレットモード機能とを有すると共に、前記シークレットモード機能使用時にユーザ操作により手動で電源が投入された場合、前記表示部が位置情報等の自動発信に関する動作表示を行わないようにする手段と、前記操作部が位置情報等の自動発信に関する操作をできないようにする手段とを備えたことを特徴とする携帯通信端末。
【請求項２】
請求項１に記載の携帯通信端末において、前記位置情報発信部が、ＧＰＳ衛星から受信した信号データを基にして前記位置測定部が求めた該携帯通信端末の位置情報と、前記位置情報を検出した時刻情報と、該携帯通信端末に予め登録されている端末情報と、該携帯通信端末が受信した情報および該情報を基に算出して得られるその他関連情報とを、予め設定された特定アドレスに対して発信する手段を備えたことを特徴とする請求項１に記載の携帯通信端末。
【請求項３】
（削除）
【請求項４】
（削除）
【請求項５】
（削除）
【請求項６】
請求項１に記載の携帯通信端末において、該携帯通信端末の電池の残量が予め設定された閾値よりも少なくなった場合に、前記制御部は、無線通信部へ指示を出して電池残量通知メッセージを発信する手段と、前記位置情報発信部へ位置情報発信要求の指示を出す時間間隔を長くするために、予め設定された時間間隔値T1及びT2を自動的に変更する手段とを備えたことを特徴とする請求項１に記載の携帯通信端末。
【請求項７】
（削除）
【請求項８】
請求項１に記載の携帯通信端末において、画像撮影を行うためのカメラ撮影部を備え、前記制御部はカメラ撮影部へ画像撮影の指示を出す手段と、前記カメラ撮影部が画像撮影した画像情報を前記位置情報発信部へ引き渡す手段と、前記位置情報発信部は該携帯通信端末の位置情報等に前記画像情報を付加して発信する手段とを備えると共に、該携帯通信端末の電池の残量が予め設定された閾値よりも少なくなった場合に、前記制御部は前記カメラ撮影部に対して画像撮影の指示を出すことを抑止する手段を備えたことを特徴とする請求項１に記載の携帯通信端末。
【請求項９】
請求項１に記載の携帯通信端末において、音声を記録するための音声記録部を備え、前記制御部は音声記録部へ音声記録の指示を出す手段と、前記音声記録部が音声記録した音声情報を前記位置情報発信部へ引き渡す手段と、前記位置情報発信部は該携帯通信端末の位置情報等に前記音声情報を付加して発信する手段とを備えると共に、該携帯通信端末の電池の残量が予め設定された閾値よりも少なくなった場合に、前記制御部は前記音声記録部に対して音声記録の指示を出すことを抑止する手段を備えたことを特徴とする請求項１に記載の携帯通信端末。
【請求項１０】
請求項１に記載の携帯通信端末において、前記位置情報発信部が取得した現在の位置情報が特定範囲内にある場合には、位置情報等の発信を抑止する機能を有すること、および前記特定範囲は位置情報発信部が取得した前回の位置情報を基に算出して求められることを特徴とする請求項１に記載の携帯通信端末。
【請求項１１】
（削除）
【請求項１２】
（削除）
【手続補正２】
【補正対象書類名】明細書
【補正対象項目名】０００７
【補正方法】変更
【補正の内容】
【０００７】
上記目的を達成するため、請求項１に記載の携帯通信端末は、ＧＰＳ機能付き携帯通信端末であって、ＧＰＳ衛星からの信号データを受信するＧＰＳ受信部と、前記信号データを基に該携帯通信端末の現在位置を求める位置測定部と、前記位置測定部で求めた位置情報等を発信する位置情報発信部と、前記位置情報発信部へ位置情報発信要求の指示を出す制御部と、該携帯通信端末の電源切断後に予め設定された時間間隔で電源オンとするタイマ回路部と、該携帯通信端末の動作状況を表示する表示部と、ユーザ操作の入力インタフェースとなる操作部とを備え、該携帯通信端末の電源オン中は予め設定された時間間隔T2で該携帯通信端末の位置情報等を自動発信する機能と、該携帯通信端末の電源が切断された後に予め設定された時間T0経過後に該携帯通信端末の位置情報等を自動発信し、その後は予め設定された時間間隔T1で該携帯通信端末の位置情報等を自動発信する機能と、電源切断後に自動発信を行う場合に前記表示部のオフ状態を維持するシークレットモード機能とを有すると共に、前記シークレットモード機能使用時にユーザ操作により手動で電源が投入された場合、前記表示部が位置情報等の自動発信に関する動作表示を行わないようにする手段と、前記操作部が位置情報等の自動発信に関する操作をできないようにする手段とを備えたことを特徴とする。ここで時間間隔(T0, T1, T2)をそれぞれユーザが所望する値に設定できるようにすることで、ユーザの現在位置をユーザの所望する間隔で発信することが可能になり、ユーザの利用環境に応じた使い方ができるようになる。
【手続補正３】
【補正対象書類名】明細書
【補正対象項目名】０００８
【補正方法】変更
【補正の内容】
【０００８】
請求項２に記載の携帯通信端末は、請求項１に記載の携帯通信端末において、前記位置情報発信部が、ＧＰＳ衛星から受信した信号データを基にして前記位置測定部が求めた該携帯通信端末の位置情報と、前記位置情報を検出した時刻情報と、該携帯通信端末に予め登録されている端末情報と、該携帯通信端末が受信した情報および該情報を基に算出して得られるその他関連情報とを、予め設定された特定アドレスに対して発信する手段を備えたことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項６に記載の携帯通信端末は、請求項１に記載の携帯通信端末において、該携帯通信端末の電池の残量が予め設定された閾値よりも少なくなった場合に、前記制御部が、無線通信部へ指示を出して電池残量通知メッセージを発信する手段と、前記位置情報発信部へ位置情報発信要求の指示を出す時間間隔を長くするために、予め設定された時間間隔値T1及びT2を自動的に変更する手段とを備えたことを特徴とする。これによりユーザは電池残量通知メッセージを受け取ることで、ユーザは電池残量が無くなる前に電池の充電または電池の交換等を行うことが可能となり位置情報サービスを継続して使用することができる。また位置情報発信間隔を自動的に長くすることで電池の消耗を低減する効果がある。さらに位置情報等の自動発信する時間間隔値を長くするために、予め設定された時間間隔値T1及びT2をユーザの所望する値に自動的に変更することで、ユーザの利用環境に応じた使い方ができるようになり、ユーザの利便性を高めることができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
請求項８に記載の携帯通信端末は、請求項１に記載の携帯通信端末において、画像撮影を行うためのカメラ撮影部を備え、前記制御部はカメラ撮影部へ画像撮影の指示を出す手段と、前記カメラ撮影部が画像撮影した画像情報を前記位置情報発信部へ引き渡す手段と、前記位置情報発信部は該携帯通信端末の位置情報等に前記画像情報を付加して発信する手段とを備えると共に、該携帯通信端末の電池の残量が予め設定された閾値よりも少なくなった場合に、前記制御部は前記カメラ撮影部に対して画像撮影の指示を出すことを抑止する手段を備えたことを特徴とする。これによりユーザは携帯通信端末の現在位置に関する周囲の状況（例えば、道路、建物、人物、人物の服装、等の画像情報）を目視確認することが可能になり、悪意を持って不正を行おうとした人物を追跡する場合など犯罪の早期解決に貢献する効果がある。また携帯通信端末の電池の残量が予め設定された閾値よりも少なくなった場合に、画像撮影を行わないようにすることで、電池の消費電力を大幅に削減して電池の使用可能時間を延長することが可能になる。

【手続補正１０】
【補正対象書類名】明細書
【補正対象項目名】００１５
【補正方法】変更
【補正の内容】
【００１５】
請求項９に記載の携帯通信端末は、請求項１に記載の携帯通信端末において、音声を記録するための音声記録部を備え、前記制御部は音声記録部へ音声記録の指示を出す手段と、前記音声記録部が音声記録した音声情報を前記位置情報発信部へ引き渡す手段と、前記位置情報発信部は該携帯通信端末の位置情報等に前記音声情報を付加して発信する手段とを備えると共に、該携帯通信端末の電池の残量が予め設定された閾値よりも少なくなった場合に、前記制御部は前記音声記録部に対して音声記録の指示を出すことを抑止する手段を備えたことを特徴とする。ここで音声記録部が音声記録する記録時間については、ユーザが予め設定しておくようにする。これによりユーザは携帯通信端末の現在位置に関する周囲の状況（例えば、人間の声、駅や列車内の放送案内、等の音声情報）を耳で確認することが可能になり、悪意を持って不正を行おうとした人物を追跡する場合など犯罪の早期解決に貢献する効果がある。また携帯通信端末の電池の残量が予め設定された閾値よりも少なくなった場合に、音声記録を行わないようにすることで、電池の消費電力を大幅に削減して電池の使用可能時間を延長することが可能になる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００２８
【補正方法】変更
【補正の内容】
【００２８】
（実施の形態２）
次に図２は、本発明の実施の形態２に係るＧＰＳ機能付き携帯通信端末の電源オフ時の動作を示すタイムチャートである。ここで図２のタイムチャートは、実施の形態１(図１)で説明した構成を前提とした動作を説明するものである。
【手続補正１４】
【補正対象書類名】明細書
【補正対象項目名】００２９
【補正方法】変更
【補正の内容】
【００２９】
タイマ回路部102は、該携帯通信端末の電源切断時にも電源が常時供給されるようになっており、該携帯通信端末の電源スイッチ103を常時監視すると共に、電源切断（電源スイッチ103がオフ）を検知した時には、予め設定された電源切断期間T0のカウントを開始する。タイマ回路部102は、電源切断期間T0のカウントを終了すると、電源スイッチ103をオンにして各部に対する電源供給を開始すると共に、制御部104に対して自動電源オン通知を行う。ここで電源切断期間T0は、予め設定された初期値をそのまま使用することができるとともに、ユーザが操作部115で該初期値をユーザの所望する値に変更することも可能である。また電源切断期間T0は、最初の電源切断期間であり、この値が小さい場合（例えばT0 がゼロの場合）、手動による電源切断後直ちに位置情報等の発信を行うことになる。
【手続補正１５】
【補正対象書類名】明細書
【補正対象項目名】００３６
【補正方法】変更
【補正の内容】
【００３６】
（実施の形態３）
次に図３は、本発明の実施の形態３に係るＧＰＳ機能付き携帯通信端末の電源オン時の動作を示すタイムチャートである。ここで図３のタイムチャートは、実施の形態１(図１)で説明した構成を前提とした動作を説明するものである。
【手続補正１６】
【補正対象書類名】明細書
【補正対象項目名】００４１
【補正方法】変更
【補正の内容】
【００４１】
（実施の形態４）
次に図４は、本発明の実施の形態４に係るＧＰＳ機能付き携帯通信端末の電池残量が少なくなった時の動作を示すタイムチャートである。ここで図４のタイムチャートは、実施の形態１(図１)で説明した構成を前提とした動作を説明するものであり、さらに実施の形態２(図２)で説明した電源オフ時の動作を前提としている。
【手続補正１７】
【補正対象書類名】明細書
【補正対象項目名】００４３
【補正方法】変更
【補正の内容】
【００４３】
また図４は、電源オフ時の携帯通信端末の電池残量が少なくなった時の動作を説明しているが、電源オン時も同様の動作をする。電源オン時の動作については実施の形態３(図３)で説明した動作を前提としている。
すなわち制御部104は、該携帯通信端末の電池101の残量を常時監視し、該携帯通信端末の電池101の残量が予め設定された閾値よりも少なくなった時に、無線通信部109に対して電池残量通知メッセージの発信要求の指示を出すと共に、送信間隔期間T2を長くするために、予め設定された時間間隔値を自動的にT2+αに変更する。
【手続補正１８】
【補正対象書類名】明細書
【補正対象項目名】００４５
【補正方法】変更
【補正の内容】
【００４５】
（実施の形態５）
次に図５は、本発明の実施の形態５に係るＧＰＳ機能付き携帯通信端末にカメラ撮影部を備えた場合の動作を示すタイムチャートである。ここで図５のタイムチャートは、実施の形態１(図１)で説明した構成を前提とした動作を説明するものである。
【手続補正１９】
【補正対象書類名】明細書
【補正対象項目名】００４６
【補正方法】変更
【補正の内容】
【００４６】
実施の形態２(図２)及び実施の形態３(図３)で説明したように、制御部104が位置情報発信部108に対して位置情報発信要求の指示を出すタイミングは、制御部104がタイマ回路部102より自動電源オン通知を受け取り位置情報発信要求の指示を出す時と、制御部104がタイマ回路部102より手動電源オン通知を受け取った時および予め設定された時間間隔T2で自動的に位置情報発信要求の指示を出す時である。
図５は、ユーザ操作により該携帯通信端末の電源が投入され、制御部104がタイマ回路部102より手動電源オン通知を受け取った場合であり、実施の形態３(図３)で説明した電源オン時の動作を前提としている。
【手続補正２０】
【補正対象書類名】明細書
【補正対象項目名】００５０
【補正方法】変更
【補正の内容】
【００５０】
また図５は、ユーザ操作により該携帯通信端末の電源が投入され、制御部104がタイマ回路部102より手動電源オン通知を受け取った場合であるが、制御部104がタイマ回路部102より自動電源オン通知を受け取り位置情報発信要求の指示を出す場合も同様の動作をする。この場合は実施の形態２(図２)で説明した電源オフ時の動作を前提とする。
【手続補正２１】
【補正対象書類名】明細書
【補正対象項目名】００５３
【補正方法】変更
【補正の内容】
【００５３】
（実施の形態６）
次に図６は、本発明の実施の形態６に係るＧＰＳ機能付き携帯通信端末に音声記録部を備えた場合の動作を示すタイムチャートである。ここで図６のタイムチャートは、実施の形態１(図１)で説明した構成を前提とした動作を説明するものである。
【手続補正２２】
【補正対象書類名】明細書
【補正対象項目名】００５４
【補正方法】変更
【補正の内容】
【００５４】
実施の形態２(図２)及び実施の形態３(図３)で説明したように、制御部104が位置情報発信部108に対して位置情報発信要求の指示を出すタイミングは、制御部104がタイマ回路部102より自動電源オン通知を受け取り位置情報発信要求の指示を出す時と、制御部104がタイマ回路部102より手動電源オン通知を受け取った時および予め設定された時間間隔T2で自動的に位置情報発信要求の指示を出す時である。
図６は、ユーザ操作により該携帯通信端末の電源が投入され、制御部104がタイマ回路部102より手動電源オン通知を受け取った場合であり、実施の形態３(図３)で説明した電源オン時の動作を前提としている。
【手続補正２３】
【補正対象書類名】明細書
【補正対象項目名】００５８
【補正方法】変更
【補正の内容】
【００５８】
また図６は、ユーザ操作により該携帯通信端末の電源が投入され、制御部104がタイマ回路部102より手動電源オン通知を受け取った場合であるが、制御部104がタイマ回路部102より自動電源オン通知を受け取り位置情報発信要求の指示を出す場合も同様の動作をする。この場合は実施の形態２(図２)で説明した電源オフ時の動作を前提とする。
【手続補正２４】
【補正対象書類名】明細書
【補正対象項目名】００６１
【補正方法】変更
【補正の内容】
【００６１】
（実施の形態７）
次に図７は、本発明の実施の形態７に係るＧＰＳ機能付き携帯通信端末のセーブモード時における位置情報発信部の処理を示すフローチャートである。ここで図７のフローチャートは、実施の形態１(図１)で説明した構成を前提とした処理を説明するものであり、さらに実施の形態２(図２)で説明した電源オフ時の動作、および実施の形態３(図３)で説明した電源オン時の動作を前提としている。またセーブモードとは、位置情報発信を条件付き抑制する機能であり、ユーザが予め設定しておくものとする。
【手続補正２５】
【補正対象書類名】明細書
【補正対象項目名】００６４
【補正方法】変更
【補正の内容】
【００６４】
（実施の形態８）
次に図８は、本発明の実施の形態８に係るＧＰＳ機能付き携帯通信端末のチェイスモード時における処理を示すシーケンス図である。ここで図８のシーケンス図は、実施の形態１(図１)で説明した構成を前提とした処理を説明するものであり、さらに実施の形態２(図２)で説明した電源オフ時の動作、および実施の形態３(図３)で説明した電源オン時の動作を前提としている。またチェイスモードとは、外部からの要求を受け取ると即時に現在の位置情報を発信する機能であり、ユーザが予め設定しておくものとする。